【事件の表示】
　特願２００２−　　７０７３「現像方法、画像形成方法及び画像形成装置」拒絶査定不服審判事件〔平成１５年　７月２５日出願公開、特開２００３−２０８０２８〕について、次のとおり審決する。
【結　論】
　本件審判の請求は、成り立たない。
【理　由】
１．手続の経緯・本願発明
　本願は、平成１４年１月１６日の出願であって、原審において、平成１７年８月２４日付けの拒絶の理由の通知に対して、同年１０月３１日付けで手続補正書が提出され、その後、平成１８年９月２２日付けで拒絶査定がなされたものであり、これに対し、同年１１月２日付けで審判請求がなされたものである（なお審判請求時に手続補正書の提出はなかった）。
　
　したがって、本願の請求項１〜６に係る発明は、平成１７年１０月３１日付けの手続補正書により補正された特許請求の範囲の請求項１〜６に記載された事項により特定されるものであると認められるところ、その請求項１に係る発明（以下、「本願発明１」という。）は、以下のとおりである。
　
　「【請求項１】磁性キャリアとトナーを含む２成分現像剤を現像剤担持体で担持し、この現像剤担持体で担持した２成分現像剤を用いて、表面層中にフィラーを含有する像担持体上に形成された静電潜像を現像する現像方法において、前記像担持体と前記現像剤担持体との間の現像領域内で前記現像剤担持体上の前記磁性キャリアの集合した穂が立ち上がり始めた時に前記トナーを前記磁性キャリアから離脱させて遊離トナーとし、この遊離トナーで前記静電潜像を現像することを特徴とする現像方法。」
　
　
２．引用刊行物の記載事項
（２−１）原査定の拒絶の理由に引用された特開昭６３−２２５２７３号公報（以下、「刊行物１」という。）には、図面とともに、以下の記載がある。（下線は当審にて付与した。）
　
　ア．「１）
キャリア粒子とトナー粒子を有する混合現像剤を用い、潜像担持体と現像スリーブの間で交互電界を印可することにより現像を行うものであって
　
　イ．「本発明は、
磁性キャリア粒子とトナー粒子とを用いて現像を行う２成分現像方式
現像部において交番電界を印加する
　
　ウ．「第２図は従来の比較的太い直径を持つ現像装置の現像領域の断面図であり、第２図ａ）はキャリア粒子の状態を表わす図、第２図ｂ）は磁束密度分布を表わす図である。大きな径を持つマグネットでは第２図に表わされるように現像磁極が充分な磁束密度を保持しつつ現像領域全体をカバーすることが容易であり、現像領域においてはキャリア粒子の穂立ちが充分に行われ、現像剤密度が下り、
交番電界によりトナー並びにキャリア粒子の振動、飛翔が活発に行われ
　
　エ．「又、第４図に示すように磁極を下流側に傾は下流側での磁力を高め、キャリア粒子の付着を防止したものは、現像領域でのキャリア粒子の穂立ちが充分でなく、スリーブ表面もしくはスリーブ表面近くのキャリア粒子からのトナーの飛翔を妨害し、その現像効率が低下し好ましくない。」（第２頁左下欄第１３行〜第１８行）
　
　オ．「第５図において
潜像担持体１は
ＯＰＣ
感光ドラム
回転
２は潜像担持体１に近接
されている現像スリーブ
回転
３は現像スリーブ２内に挿入した
固定磁界発生手段としての固定の永久磁石
　　
　カ．「第５図に於て磁極３ｃは現像磁極であるが、第１図に示された如く、現像磁極３Ｃは感光体と対向する部分に最大の磁束密度を持ち、現像スリーブ２の回転方向上流側に向っては急峻にその磁力を弱め、下流側に向っては緩慢に落ちるように設計されている。
現像スリーブ２の回動に伴って搬送されてきた現像剤層は、現像領域直前で急激に立ち上り、感光体１面に直に摺擦されるので、現像剤層の穂立ちに伴う運動によって生じるキャリア粒子７から離脱するトナーは容易に感光体１へ移転する
現像領域においては現像剤層は穂立ち状態になり、現像スリーブ面が開放され、現像スリーブ上及びキャリア粒子からのトナーの飛翔が交番電界により活発に行われる
　
　キ．「
キャリア粒子は現像部およびその近傍でスリーブ２内の磁極３ｃにより磁界によって穂立ちして、最大長約１．２ｍｍ程の穂立ちブラシを形成
感光ドラム１（有機感光材料製）
　
　ク．「実施例III　第８図は現像磁極３ｃと上流側の磁極３ｄとの間に磁性板８１を設けて、現像磁極３Ｃの上流側の磁束密度を急峻に低下せしめたものである。本実施例のように磁性板８１を設けることにより、現像部上流側の磁界を制御が可能になり、従って、現像剤粒子の穂立ち開始地点が容易にコントロールすることが可能となり、
現像領域の遠方での穂立ちを防止することができる
現像剤の穂立ち運動に伴なう離脱トナーが飛散トナーとはならず効果的に現像に供することができる
　
　ケ．ここで、第１図、第５図を参照すると、現像スリーブ２はドラム状であり、潜像担持体１（感光ドラム）との間に近接した現像領域が形成され、この現像領域でキャリア粒子の穂立ちブラシが形成され、現像が行われている様子が認められる。また、回転する現像スリーブ２は、現像剤を担持して現像領域に搬送するものである。
　
　上記の事項を総合すると、刊行物１には、以下の発明が開示されていると認められる。（以下、刊行物１発明という。）
　
　「磁性キャリア粒子とトナー粒子を有する混合現像剤を用い、有機感光材料の表面層を有しドラム状の回転する潜像担持体と、該潜像担持体に近接して現像領域を形成するとともに現像剤を担持して現像領域に搬送する内部に固定磁界発生手段を有しドラム状の回転する現像スリーブとの間で、交番電界を印可することにより、現像領域でキャリア粒子の穂立ちブラシが形成されて現像を行う方法であって、
　現像スリーブの回動に伴って搬送されてきた現像剤層は、現像領域直前で急激に立ち上り、感光体面に直に摺擦されるので、現像剤層の穂立ちに伴う運動によって生じるキャリア粒子から離脱するトナーが潜像担持体（感光体）へ移転される、現像方法。」
　
（２−２）同じく、原査定の拒絶の理由に引用された特開平８−１５８８７号公報（以下、「刊行物２」という。）には、図面とともに、以下の記載がある。
　
　「【請求項１】  表面層に無機化合物微粒子（フィラ−）及びジベンジルアミノフェニルヒドラゾン化合物を含有することを特徴とする電子写真感光体。
　【請求項２】  請求項１記載の電子写真感光体において、表面層に含有される無機化合物微粒子（フィラ−）が金属酸化物、金属硫化物または金属窒化物である請求項１記載の電子写真感光体。
　【請求項３】  請求項１記載の電子写真感光体において、表面層に含有される無機化合物微粒子（フィラ−）が酸化ケイ素（シリカ）である請求項１記載の電子写真感光体。
　【請求項４】  請求項１記載の電子写真感光体において、表面層に含有される無機化合物微粒子（フィラ−）が酸化チタンである請求項１記載の電子写真感光体。
　【請求項５】  請求項３記載の電子写真感光体において、表面層に含有される無機化合物微粒子（フィラ−）の含有率が０．５重量％以上３０重量％以下である請求項１記載の電子写真感光体。
　【請求項６】 （略） 
　【請求項７】 （略） 
　【請求項８】  請求項１記載の電子写真感光体と前記電子写真感光体を帯電させる帯電手段と帯電した前記電子写真感光体に対し像露光を行い静電潜像を形成する像露光手段と静電潜像を形成された前記電子写真感光体に対しトナ−で現像する現像手段を有することを特徴とする電子写真装置。」
　
（２−３）同じく、原査定の拒絶の理由に引用された特開平８−２７２１２５号公報（以下、「刊行物３」という。）には、図面とともに、以下の記載がある。
　
　「【請求項１】  導電性基体上に感光層を設けてなる電子写真感光体の最上層が粘度平均分子量４０，０００以上のポリカーボネートと体積平均粒径０．０５〜２．０μｍの無機粒子を含有することを特徴とする電子写真感光体。
　【請求項２】 （略）
　【請求項３】 （略）
　【請求項４】 無機粒子がシリカであることを特徴とする請求項１、２又は３記載の電子写真感光体。
　【請求項５】 前記シリカ粒子が疎水化処理されていることを特徴とする請求項１、２、３又は４記載の電子写真感光体。
　【請求項６】 導電性支持体上に感光層を有する電子写真感光体、静電潜像形成手段、現像手段、転写手段、及びクリーニング手段を有する電子写真装置において前記感光層の最上層が粘度平均分子量４０，０００以上のポリカーボネートと体積平均粒径０．０５〜２μｍの無機粒子を含有せしめた層として構成され、前記クリーニング手段が弾性ブレード手段であることを特徴とする電子写真装置。」
　
　
３．対比・判断
　本願発明１と刊行物１発明とを対比すると、
　刊行物１発明の「磁性キャリア粒子」「トナー粒子」「混合現像剤」「有機感光材料の表面層」「潜像担持体」「現像領域」「現像スリーブ」「キャリア粒子の穂立ちブラシ」は、それぞれ、本願発明１の「磁性キャリア」「トナー」「２成分現像剤」「表面層」「像担持体」「現像領域」「現像剤担持体」「磁性キャリアの集合した穂」に相当するから、
　刊行物１発明の前半部分である「磁性キャリア粒子とトナー粒子を有する混合現像剤を用い、有機感光材料の表面層を有しドラム状の回転する潜像担持体と、該潜像担持体に近接して現像領域を形成するとともに現像剤を担持して現像領域に搬送する内部に固定磁界発生手段を有しドラム状の回転する現像スリーブとの間で、交番電界を印可することにより、現像領域でキャリア粒子の穂立ちブラシが形成されて現像を行う方法」は、
　本願発明１の「磁性キャリアとトナーを含む２成分現像剤を現像剤担持体で担持し、この現像剤担持体で担持した２成分現像剤を用いて、像担持体上に形成された静電潜像を現像する現像方法」に、実質的に相当するということができる。
　
　また、刊行物１発明のキャリア粒子から離脱するトナーによる現像と、本願発明１の磁性キャリアからトナーを離脱させた遊離トナーによる現像とは、磁性キャリアから離脱した遊離トナーで像担持体上の静電潜像を現像する点で共通するものである。
　
　そうすると、両者の一致点、相違点は以下のとおりと認められる。
　
［一致点］
　「磁性キャリアとトナーを含む２成分現像剤を現像剤担持体で担持し、この現像剤担持体で担持した２成分現像剤を用いて、表面層を有する像担持体上に形成された静電潜像を現像する現像方法であって、
　磁性キャリアから離脱した遊離トナーで像担持体上の静電潜像を現像する、現像方法。」
　
［相違点１］
　本願発明１では、像担持体の表面層中にフィラーを含有するのに対し、
　刊行物１発明では、フィラーの含有は明記されていない点。
　
［相違点２］
　現像方法の詳細に関し、
　本願発明１では、像担持体と現像剤担持体との間の現像領域内で現像剤担持体上の磁性キャリアの集合した穂が立ち上がり始めた時にトナーを磁性キャリアから離脱させて遊離トナーとし、この遊離トナーで静電潜像を現像するのに対し、
　刊行物１発明では、現像スリーブの回動に伴って搬送されてきた現像剤層は、現像領域直前で急激に立ち上り、感光体面に直に摺擦されるので、現像剤層の穂立ちに伴う運動によって生じるキャリア粒子から離脱するトナーが潜像担持体（感光体）へ移転される点。
　
　そこで、相違点について検討する。
　
（相違点１について）
　刊行物２，３には、耐摩耗性等を向上させるために、像担持体の表面層中にフィラーを含有させる技術が記載されている。
　そして、刊行物１発明の現像方法において使用する像担持体の表面層中にフィラーを含有させることは、当業者が適宜容易になし得る程度のことである。
　
（相違点２について）
　刊行物１発明は、「現像領域においては現像剤層は穂立ち状態になり、現像スリーブ面が開放され、現像スリーブ上及びキャリア粒子からのトナーの飛翔が交番電界により活発に行われる。」（上記摘記事項カ．）とあるとおり、本願発明１と同じく、交番電界によって現像剤が振動し、飛翔するものであり、
　また、刊行物１の実施例III（摘記事項ク．、第８図）は、上流側に磁性板８１を設けることで「現像領域の遠方での穂立ち」による離脱トナー（遊離トナー）の発生を防止するものであるが、ここでいう「現像領域の遠方での穂立ち」による離脱トナー（遊離トナー）の発生は、「現像剤層の穂立ちが感光体表面を摺擦」することとは無関係（例えば、第２図の従来のものでは、現像領域の遠方での穂立ちが始まっているが、そこでは感光体に接触していない）であるから、
　磁性板８１がないもの（第１図の実施例や、第２図の従来のもの）では、「現像剤層の穂立ちが感光体表面を摺擦」しなくても、交番電界による現像剤の活発な振動によって、穂が立ち上がり始めた時に、穂立ち運動に伴なって遊離トナーが多少なりとも発生し得ることが理解される。
　
　また、例えば、特開昭６３−２２６６７５号公報、特開昭６３−２２６６７８号公報、特開平１−９４３６８号公報には、「磁気ブラシが像形成体と接触せずに、現像域上流部に固定された電極部に交流電圧を印加することで、この電極部と現像剤搬送体との間に振動電界を形成することによりトナークラウドを形成して像形成体にトナーを供給して現像する２成分現像剤トナークラウド現像法」が記載されているように、現像領域上流部（前域部）において、トナークラウド（遊離トナー）を生じさせて現像を行うことは従来周知である。
　現像領域前域部において遊離トナーを生じさせることは、すなわち、磁性キャリアの集合した穂が立ち上がり始めた時に遊離トナーを生じさせることであるから、刊行物１発明の「現像スリーブの回動に伴って搬送されてきた現像剤層は、現像領域直前で急激に立ち上り、感光体面に直に摺擦されるので、現像剤層の穂立ちに伴う運動によって生じるキャリア粒子から離脱するトナーが感光体へ移転される」という現像方法に、「像領域前域部において遊離トナーを生じさせて現像を行う」という周知技術を適用し、本願発明１のように「穂が立ち上がり始めた時に生じる遊離トナー」で現像することに格別の技術的困難性は見出せない。
　
（作用効果について）
　まず、本願発明１の「十分な画像濃度を有する画像を得る」という効果については、従来技術であるトナークラウド現像法においても、遊離トナーを現像に用いて、同様のことを行っているから、本願発明１が奏する効果が格別なものとはいえない。
　
　遊離トナーによる現像とフィラーとの関係については、本願明細書によると、感光体（像担持体）の表面にフィラーを含有させると、感光体表面には微小な凹凸が形成され、この微小な凹凸に現像装置でトナーが擦りつけられると、トナーの一部が感光体の表面に固着する、いわゆるトナーフィルミングが発生しやすく、また、一度トナーが固着すると次第に蓄積されやすい問題があるが（【０００５】）、本願発明１では、遊離トナーで現像するので、感光体へのトナーの擦り込みが少なく、長期に渡ってトナーフィルミングが発生しない（【００３６】【００７６】）というものである。
　この効果について検討すると、一般に、感光体上のトナーフィルミングは、転写せずに残った感光体上の残留トナーが帯電ローラ、現像ローラ、クリーニング部材等で押圧されて発生することがよく知られており、また、その発生が促進される場合として、感光体表面に耐摩耗性があり削れにくい場合や、感光体表面に凹凸がある場合（例えば、特開昭６３−１４１５３号公報［第２７頁右上欄］、特開平３−１５５５５９号公報［第４頁右下欄］、特開平６−５９４７３号公報［【００２１】］）がよく知られている。
　そうすると、感光体（像担持体）の表面にフィラーを含有したものに、遊離トナーを利用する現像を行った場合には、現像の際の押圧（感光体へのトナーの擦り込み）が少なくて済むので、トナーフィルミング発生が少なくなることは、当業者であれば簡単に予測し得ることである。
　
（まとめ）
　したがって、刊行物１発明において、刊行物２，３記載の技術、及び周知技術を適用して、本願発明１のごとくなすことは、当業者が容易に想到できたことである。
　
　
４．むすび
　以上のとおり、本願の請求項１に係る発明は、刊行物１〜３に記載された発明及び周知技術に基づいて当業者が容易に発明をすることができたものであり、特許法第２９条第２項の規定により、特許を受けることができないから、他の請求項に係る発明について検討するまでもなく、本願は拒絶されるべきものである。
　
　よって、結論のとおり審決する。